(57)【要約】【課題】本人認証の時に、本人の顔画像だけではなく、要注意人物の顔画像に照合する。【解決手段】利用者が本人であることを認証する本人認証装置であって、利用者の顔を撮像する撮像部と、撮像部により撮像された利用者の顔画像を、予め保持されている特定の人物の顔画像と比較する特定人物比較部と、本人の顔画像を、記憶装置から取得する本人画像取得部と、撮像部によって撮像された利用者の顔画像と、本人画像取得部によって取得された本人の顔画像とが同一の人物の画像であるか否かを、特定人物比較部による比較結果に基づいて異なる判断方法で判断する認証部とを備える。【選択図】図２
2004259253.tif 000002
【特許請求の範囲】
【請求項１】
利用者が本人であることを認証する本人認証装置であって、
前記利用者の顔を撮像する撮像部と、
前記撮像部により撮像された前記利用者の顔画像を、予め保持されている特定の人物の顔画像と比較する特定人物比較部と、
前記本人の顔画像を、記憶装置から取得する本人画像取得部と、
前記撮像部によって撮像された前記利用者の顔画像と、前記本人画像取得部によって取得された本人の顔画像とが同一の人物の画像であるか否かを、前記特定人物比較部による比較結果に基づいて異なる判断方法で判断する認証部と
を備えることを特徴とする本人認証装置。
【請求項２】
前記特定の人物の顔画像は、要注意人物の顔画像であり、
前記特定人物比較部は、前記比較結果として、前記利用者の顔画像が、前記要注意人物の顔画像に類似するか否かを判断した結果を出力し、
前記利用者の顔画像が前記要注意人物の顔画像に類似すると前記特定人物比較部が判断した場合、前記認証部は、前記利用者の顔画像と前記本人の顔画像とが同一人物の画像であるか否かを、より厳しい基準で判断することを特徴とする請求項１に記載の本人認証装置。
【請求項３】
前記利用者の顔画像が前記要注意人物の顔画像に類似すると前記特定人物比較部が判断した場合、前記撮像部は、解像度又は階調を高めて前記利用者の顔を再度撮像し、
前記認証部は、より厳しい基準で判断する為に、解像度又は階調を高めた前記利用者の顔画像が前記本人の顔画像と同一人物の画像であるか否かを判断することを特徴とする請求項２に記載の本人認証装置。
【請求項４】
前記認証部は、より厳しい基準で判断する為に、前記利用者の顔画像と前記本人の顔画像のそれぞれから抽出する特徴の種類を増やすことを特徴とする請求項２に記載の本人認証装置。
【請求項５】
前記認証部は、より厳しい基準で判断する為に、前記本人の外観の新たな特徴を更に取得して、新たに取得した前記特徴を用いて、前記利用者の顔画像と前記本人の顔画像とが同一人物の画像であるか否かを判断することを特徴とする請求項２に記載の本人認証装置。
【請求項６】
前記撮像部は、前記利用者の顔画像を動画により撮像し、
前記本人画像取得部は、前記本人の顔画像の動画を、前記記憶装置から取得し、
前記認証部は、より厳しい基準で判断する為に、前記利用者の顔画像の動画における複数のフレームと、前記本人の顔画像の動画における複数のフレームとを比較して、前記利用者の顔画像と前記本人の顔画像とが同一人物の画像であるか否かを判断することを特徴とする請求項２に記載の本人認証装置。
【請求項７】
前記認証部は、前記特定人物比較部による比較結果に基づいて、前記利用者の顔画像と前記本人の顔画像のそれぞれから抽出する特徴の種類を変更することを特徴とする請求項１に記載の本人認証装置。
【請求項８】
前記利用者の顔画像が前記要注意人物の顔画像に類似すると前記特定人物比較部が判断した場合、前記撮像部は、前記利用者に不可視領域光を照射して、前記利用者の顔を撮像し、
前記認証部は、より厳しい基準で判断する為に、前記不可視領域光を照射して撮像された前記利用者の顔画像を用いて、前記利用者の顔画像と前記本人の顔画像とが同一人物の画像であるか否かを判断することを特徴とする請求項３に記載の本人認証装置。
【請求項９】
前記本人認証装置は、複数の利用者がそれぞれ本人であることを認証し、
前記特定人物比較部は、前記撮像部により撮像された前記利用者の顔画像を、複数の前記特定の人物の前記顔画像と比較し、
更に、前記複数の本人の認証時刻、及びいずれの前記特定の人物に類似していると判断されたかを本人に対応付けて保存するログ保持部を備え、
前記認証部は、前記ログ保持部が保持している他の前記本人の認証履歴を用いて、いずれの方法で前記利用者が本人であるか否かを判断するかを定めることを特徴とする請求項１に記載の本人認証装置。
【請求項１０】
前記複数の特定の人物のそれぞれは要注意人物であり、
前記認証部は、予め定められた時間内に、複数の他の前記本人の顔画像が、それぞれ複数の前記要注意人物の顔画像に類似すると判断されていた場合に、前記利用者の顔画像と前記本人の顔画像とが同一人物の画像であるか否かを、より厳しい基準で判断することを特徴とする請求項９に記載の本人認証装置。
【請求項１１】
前記利用者の顔画像が前記要注意人物の顔画像に類似すると前記特定人物比較部が判断した場合、前記認証部は、前記利用者の顔画像を、前記本人認証装置と異なる場所に設けられた、前記利用者が前記本人であるか否かを判定するための本人判定装置へ送信することを特徴とする請求項１に記載の本人認証装置。
【請求項１２】
第１の前記撮像部と、
第２の前記撮像部と
を備え、
前記特定人物比較部は、前記第１の撮像部により撮像された前記利用者の顔画像と、前記特定の人物の顔画像とを比較し、
前記利用者の顔画像が前記要注意人物の顔画像に類似しないと前記特定人物比較部が判断した場合、前記認証部は、前記第１の撮像部により撮像された前記利用者の顔画像と、本人の顔画像とが同一の人物の画像であるか否かを判断し、
前記利用者の顔画像が前記要注意人物の顔画像に類似すると前記特定人物比較部が判断した場合、前記認証部は、前記第２の撮像部により撮像された前記利用者の顔画像と、本人の顔画像とが同一の人物の画像であるか否かを判断することを特徴とする請求項１に記載の本人認証装置。
【請求項１３】
前記第２の撮像部は、前記第１の撮像部が撮像する顔画像よりも情報量の多い顔画像を生成することを特徴とする請求項１２に記載の本人認証装置。
【請求項１４】
前記利用者の顔画像が前記要注意人物の顔画像に類似すると前記特定人物比較部が判断した場合、前記認証部は、前記利用者が通過してきた経路上に設けられた他の本人認証装置から、前記利用者の顔画像を取得し、当該顔画像を更に用いて、前記撮像部によって撮像された前記利用者の顔画像と、前記本人の顔画像とが同一の人物の画像であるか否かを判断する請求項１に記載の本人認証装置。
【発明の詳細な説明】
【技術分野】
【０００１】
本発明は、本人認証装置に関する。特に本発明は、要注意人物など特定の人物に類似しているか否かを、本人認証に用いた本人認証装置に関する。
【背景技術】
【０００２】
入室管理や入国管理を行うために、本人認証を行うことがある。本人認証の方法には、認証キーを保持している携帯型記録媒体を用いる方法、顔画像及び／又は指紋などを用いる方法などがある（例えば特許文献１及び２参照）。
【特許文献１】特開２００２−９２４９５
【特許文献２】特開２００１−３２６８４１
【発明の開示】
【発明が解決しようとする課題】
【０００３】
顔画像を用いて本人認証を行う場合、要注意人物、例えば指名手配されている人物は、自分と顔が似ている他人に成りすます可能性がある。このため、本人の顔画像だけを用いて本人認証を行うと、他人に成りすました要注意人物を見逃す可能性もある。このため、本人認証の時に、本人の顔画像だけではなく、要注意人物の顔画像に照合することが好ましい。
【０００４】
そこで本発明は、上記の課題を解決することができる本人認証装置を提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、利用者が本人であることを認証する本人認証装置であって、利用者の顔を撮像する撮像部と、撮像部により撮像された利用者の顔画像を、予め保持されている特定の人物の顔画像と比較する特定人物比較部と、本人の顔画像を、記憶装置から取得する本人画像取得部と、撮像部によって撮像された利用者の顔画像と、本人画像取得部によって取得された本人の顔画像とが同一の人物の画像であるか否かを、特定人物比較部による比較結果に基づいて異なる判断方法で判断する認証部とを備える。
【０００６】
また、特定の人物の顔画像は、要注意人物の顔画像であり、特定人物比較部は、比較結果として、利用者の顔画像が、要注意人物の顔画像に類似するか否かを判断した結果を出力し、利用者の顔画像が要注意人物の顔画像に類似すると特定人物比較部が判断した場合、認証部は、利用者の顔画像と本人の顔画像とが同一人物の画像であるか否かを、より厳しい基準で判断してもよい。
【０００７】
また、利用者の顔画像が要注意人物の顔画像に類似すると特定人物比較部が判断した場合、撮像部は、解像度又は階調を高めて利用者の顔を再度撮像し、認証部は、より厳しい基準で判断する為に、解像度又は階調を高めた利用者の顔画像が本人の顔画像と同一人物の画像であるか否かを判断してもよい。また、認証部は、より厳しい基準で判断する為に、利用者の顔画像と本人の顔画像のそれぞれから抽出する特徴の種類を増やしてもよい。
【０００８】
また、認証部は、より厳しい基準で判断する為に、本人の外観の新たな特徴を更に取得して、新たに取得した特徴を用いて、利用者の顔画像と本人の顔画像とが同一人物の画像であるか否かを判断してもよい。また、撮像部は、利用者の顔画像を動画により撮像し、本人画像取得部は、本人の顔画像の動画を、記憶装置から取得し、認証部は、より厳しい基準で判断する為に、利用者の顔画像の動画における複数のフレームと、本人の顔画像の動画における複数のフレームとを比較して、利用者の顔画像と本人の顔画像とが同一人物の画像であるか否かを判断してもよい。
【０００９】
また、認証部は、特定人物比較部による比較結果に基づいて、利用者の顔画像と本人の顔画像のそれぞれから抽出する特徴の種類を変更してもよい。また、利用者の顔画像が要注意人物の顔画像に類似すると特定人物比較部が判断した場合、撮像部は、利用者に不可視領域光を照射して、利用者の顔を撮像し、認証部は、より厳しい基準で判断する為に、不可視領域光を照射して撮像された利用者の顔画像を用いて、利用者の顔画像と本人の顔画像とが同一人物の画像であるか否かを判断してもよい。
【００１０】
また、本人認証装置は、複数の利用者がそれぞれ本人であることを認証し、特定人物比較部は、撮像部により撮像された利用者の顔画像を、複数の特定の人物の顔画像と比較し、更に、複数の本人の認証時刻、及びいずれの特定の人物に類似していると判断されたかを本人に対応付けて保存するログ保持部を備え、認証部は、ログ保持部が保持している他の本人の認証履歴を用いて、いずれの方法で利用者が本人であるか否かを判断するかを定めてもよい。
【００１１】
また、複数の特定の人物のそれぞれは要注意人物であり、認証部は、予め定められた時間内に、複数の他の本人の顔画像が、それぞれ複数の要注意人物の顔画像に類似すると判断されていた場合に、利用者の顔画像と本人の顔画像とが同一人物の画像であるか否かを、より厳しい基準で判断してもよい。また、利用者の顔画像が要注意人物の顔画像に類似すると特定人物比較部が判断した場合、認証部は、利用者の顔画像を、本人認証装置と異なる場所に設けられた、利用者が本人であるか否かを判定するための本人判定装置へ送信してもよい。
【００１２】
また、第１の撮像部と、第２の撮像部とを備え、特定人物比較部は、第１の撮像部により撮像された利用者の顔画像と、特定の人物の顔画像とを比較し、利用者の顔画像が要注意人物の顔画像に類似しないと特定人物比較部が判断した場合、認証部は、第１の撮像部により撮像された利用者の顔画像と、本人の顔画像とが同一の人物の画像であるか否かを判断し、利用者の顔画像が要注意人物の顔画像に類似すると特定人物比較部が判断した場合、認証部は、第２の撮像部により撮像された利用者の顔画像と、本人の顔画像とが同一の人物の画像であるか否かを判断してもよい。また、第２の撮像部は、第１の撮像部が撮像する顔画像よりも情報量の多い顔画像を生成してもよい。
【００１３】
また、利用者の顔画像が要注意人物の顔画像に類似すると特定人物比較部が判断した場合、認証部は、利用者が通過してきた経路上に設けられた他の本人認証装置から、利用者の顔画像を取得し、当該顔画像を更に用いて、撮像部によって撮像された利用者の顔画像と、本人の顔画像とが同一の人物の画像であるか否かを判断してもよい。
【００１４】
なお、上記の発明の概要は、本発明の必要な特徴の全てを列挙したものではなく、これらの特徴群のサブコンビネーションもまた、発明となりうる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１６】
図１は、本発明の実施形態である本人認証装置１００の使用例を示す図である。本人認証装置１００は、複数の場所にそれぞれ設置されている。複数の本人認証装置１００は認証履歴を共有している。また、本人認証装置１００は、予め本人のテンプレート顔画像及び要注意人物の顔画像を保持している。
【００１７】
本人認証装置１００は、認証すべき本人のＩＣカード１０から、ＩＤなどの本人識別情報を取得し、この本人識別情報を用いて本人のテンプレート顔画像を選択する。また、撮像部１１０を用いて、本人と認証すべき利用者の顔画像を撮像する。本人認証装置１００は、撮像部１１０が撮像した利用者の顔画像と要注意人物の顔画像の一致度が基準値以上であり、互いに類似すると判断した場合、本人認証の判断基準を厳しくする。そして、本人のテンプレート顔画像と撮像部１１０が撮像した利用者の顔画像の認証処理を行う。
【００１８】
以上のように、利用者が要注意人物に類似すると判断した場合、本人認証装置１００は、利用者が本人であるか否かの判断基準を厳しくする。従って、要注意人物が他人に成りすましても、この他人であると認証される可能性は低くなる。
【００１９】
図２は、本人認証装置１００の構成を示すブロック図である。本人認証装置１００は、撮像部１１０の他に、特定人物情報保持部１２０、特定人物比較部１３０、記憶装置１４０、本人画像取得部１５０、及び認証部１６０を備える。記憶装置１４０はログ保持部の一例である。
【００２０】
特定人物情報保持部１２０は、要注意人物の顔画像を保持している。特定人物比較部１３０は、撮像部１１０が撮像した利用者の顔画像と、特定人物情報保持部１２０が保持している要注意人物の顔画像の一致度を算出し、互いが類似しているか否かを判断する。そして、特定人物比較部１３０は、比較結果として、利用者の顔画像が、要注意人物の顔画像に類似するか否かを判断した結果を出力する。記憶装置１４０は、本人識別情報に対応付けて、本人のテンプレート顔画像、及び本人の認証履歴を保持している。また、記憶装置１４０は、他の本人認証装置１００と通信し、認証履歴を共有している。本人画像取得部１５０は、ＩＣカード１０から取得した本人識別情報に基づいて、本人のテンプレート画像及び本人の認証履歴を記憶装置１４０から取得する。認証部１６０は、特定人物比較部１３０による比較結果に基づいて本人認証の判断基準を設定する。例えば、利用者の顔画像が要注意人物の顔画像に類似すると特定人物比較部１３０が判断した場合、認証部１６０は、利用者の顔画像と本人の顔画像とが同一人物の画像であるか否かを、より厳しい基準で判断する。これにより、認証部１６０は、設定した判断基準、撮像部１１０が生成した利用者の顔画像、並びに本人画像取得部１５０が取得した本人のテンプレート画像及び本人の認証履歴に基づいて本人認証処理を実行する。
【００２１】
なお、特定人物情報保持部１２０及び記憶装置１４０が保持しているデータの詳細はテーブルを用いて後述する。また、認証部１６０の動作の詳細はフローチャートを用いて後述する。
【００２２】
また、本例における要注意人物とは、特定の人物の一例である。他の例において、特定人物情報保持部１２０は、特定の人物の顔画像として、例えばお得意さま等の重要な人物の顔画像を保持してもよい。この場合、特定人物比較部１３０は、利用者の顔画像が、重要な人物の顔画像に類似するか否かを判断する。認証部１６０は、特定人物比較部１３０による比較結果に応じて、認証の判断方法を変更する。この場合も、他人が重要人物に成りすますのを防止できる。また、これにより、お得意さま等の重要人物を適切かつ迅速に認識して、サービスを提供することができる。
【００２３】
図３は、特定人物情報保持部１２０のデータ構成を示すテーブルである。特定人物情報保持部１２０は、要注意人物のＩＤに対応付けて、要注意人物の顔画像、及びこの要注意人物に類似していると判断されるために必要な画像の一致度を保持している。この一致度は、特に注意すべき要注意人物に対しては低く設定され、特別に注意する必要がない要注意人物に対しては高く設定される。
【００２４】
このようにすると、特別に注意する必要がない要注意人物に類似していると判断される人の数は少なくなる。従って、本人認証装置１００が判断基準を変更する回数は少なくなる。
【００２５】
図４は、記憶装置１４０のデータ構成を示すテーブルである。記憶装置１４０は、本人識別情報に対応付けて、本人のテンプレート顔画像及び本人の認証履歴を保持している。記憶装置１４０は、本人の認証履歴として、本人の顔画像が撮像された場所すなわち認証場所、本人の顔画像が撮像された年月日及び時刻すなわち認証年月日及び認証時刻、類似していると判断された要注意人物のＩＤ、認証時に撮像された本人の顔画像と要注意人物の顔画像の一致度、及び認証時に撮像された本人の顔画像を互いに対応付けて格納する。
【００２６】
このようにすると、本人認証装置１００は、本人がいつ何処で認証されていたかを認識することができる。また、本人認証装置１００は、本人がいずれの要注意人物に類似しているかを認識することができる。
【００２７】
図５は、本人認証装置１００の動作を示すフローチャートである。本人認証装置１００の本人画像取得部１５０は、本人のＩＣカードから本人識別情報を取得する（Ｓ１０）。そして、取得した本人識別情報に基づいて、本人の顔画像を記憶装置１４０から選択する（Ｓ２０）とともに、本人の認証履歴（認証ログ）を記憶装置１４０から選択する（Ｓ３０）。
【００２８】
撮像部１１０は、本人と認証すべき利用者の顔画像を撮像する（Ｓ４０）。特定人物比較部１３０は、特定人物情報保持部１２０が保持しているすべての要注意人物の顔画像と利用者の顔画像の一致度を算出する（Ｓ５０）。
【００２９】
特定人物比較部１３０は、いずれかの要注意人物に対する一致度が、特定人物情報保持部１２０がそれぞれの要注意人物毎に保持している一致度を超えた場合、利用者がその要注意人物に類似していると判断する（Ｓ６０：Ｙｅｓ）。この場合、認証部１６０は、本人の認証履歴に照会する。そして、過去に同一の要注意人物に類似していると判断されていた場合（Ｓ７０：Ｙｅｓ）、もともと本人の顔が特定の要注意人物に類似していると認識し、通常通りに本人認証を行う。
【００３０】
また、類似していると判断された要注意人物が新規の場合（Ｓ７０：Ｎｏ）、認証部１６０は、要注意人物が本人に成りすましている可能性があると判断し、本人の判断方法を通常より厳しくする（Ｓ８０）。認証部１６０は、例えば本人認証に必要な一致度を高くする。
【００３１】
そして、認証部１６０は、Ｓ８０で判断方法を変更した場合には変更後の判断方法に従って本人認証を行う。また、それ以外の場合は、通常の判断方法に従って本人認証を行う（Ｓ９０）。
【００３２】
そして、認証部１６０は、記憶装置１４０に認証場所、認証時刻、類似すると判断された要注意人物のＩＤ、そのときの一致度及び利用者の顔画像を本人に対応付けて格納し、認証履歴を更新する（Ｓ１００）。記憶装置１４０は、他の本人認証装置１００が保持している認証履歴を更新する。
【００３３】
ここで、Ｓ８０で判断方法を変更した場合、認証部１６０は、撮像部１１０に、通常より高い解像度で利用者の顔を再度撮像させてもよい。この場合、認証部１６０は、通常より高い解像度を有する利用者の顔画像を本人認証に用いる。
【００３４】
また、認証部１６０は、例えば、利用者の顔画像と本人の顔画像のそれぞれから抽出する特徴の種類を、通常より増やしてもよい。より具体的には、認証部１６０は、２つの顔画像から抽出すべき特徴を、例えば目の距離及び輪郭から、目の距離、輪郭及び目鼻等の顔の部分の形状に変更する。認証部１６０は、特定人物比較部１３０による比較結果に基づいて、利用者の顔画像と本人の顔画像のそれぞれから抽出する特徴の種類を変更してもよい。
【００３５】
また、他の例において、認証部１６０は、より厳しい基準で判断する為に、過去の認証において撮像された顔画像を更に用いてもよい。例えば、利用者の顔画像が要注意人物の顔画像に類似すると特定人物比較部１３０が判断した場合、認証部１６０は、他の本人認証装置１００から、利用者の顔画像を取得する。他の本人認証装置１００は、例えば、利用者が通過してきた経路上に設けられている。そして、認証部１６０は、他の本人認証装置１００から受け取る顔画像を更に用いて、撮像部１１０によって撮像された利用者の顔画像と、本人の顔画像とが同一の人物の画像であるか否かを判断する。この場合、例えば経路の途中で利用者が変装等を行って他人に成りすましたとしても、利用者をこの他人と誤認する可能性は低くなる。なお、認証部１６０は、より厳しい基準で判断する為に、同じ本人認証装置１００による過去の認証において撮像された顔画像を、更に用いてもよい。
【００３６】
また、更なる他の例において、利用者の顔画像と要注意人物の顔画像が類似する場合、認証部１６０は、例えば警報を鳴らして、係員に通知してもよい。この場合、例えば係員が直接に本人の確認をする等の特別扱いの方法により、認証を行う。これにより、認証部１６０は、本人認証の判断方法を、人手による確認に変更する。
【００３７】
図６は、本人認証装置１００の動作の変形例を示すフローチャートである。本変形例において、本人認証装置１００は、認証履歴に含まれている、他人の認証履歴を用いて本人認証の判断方法を定める。本変形例において、Ｓ１０及びＳ２０の動作は、図５と同じであるため説明を省略する。
【００３８】
本人画像取得部１５０は、記憶装置１４０が保持している認証ログを用いて、現在から予め定められた時間以内に要注意人物に類似していると判断された人の数を取得する。そして、その数が基準数以上である場合（Ｓ３２：Ｙｅｓ）、複数の要注意人物が集団で行動を起こしている可能性があると判断し、本人認証の判断方法を厳しくする（Ｓ８０）。判断方法の変更に関する具体例は、図５のＳ８０と同じであるため説明を省略する。
【００３９】
そして、本人認証を行い（Ｓ９０）、記憶装置１４０の認証履歴を更新する（Ｓ１００）。Ｓ９０及びＳ１００の動作も図５と同じである。
【００４０】
図７は、本人認証装置１００の構成の変形例を示す。なお、以下に説明する点を除き、図７において、図２と同じ符号を付した構成は、図２における構成と同一又は同様の機能を有するため説明を省略する。本変形例において、本人認証装置１００は、本人判定装置２００と通信する。本人判定装置２００は、利用者が本人であるか否かを判定するための装置であり、例えば別室や警備会社内等の、本人認証装置１００と異なる場所に設けられる。
【００４１】
そして、利用者の顔画像が要注意人物の顔画像に類似すると特定人物比較部１３０が判断した場合、認証部１６０は、利用者の顔画像を、本人判定装置２００へ送信する。また、認証部１６０は、本人画像取得部１５０から受け取る本人の顔画像を、更に、本人判定装置２００へ送信する。本人判定装置２００は、認証部１６０から受け取る利用者の顔画像と本人の顔画像とが同一人物の画像であるか否かを判定して、判定結果を認証部１６０へ送信する。
【００４２】
ここで、本人判定装置２００は、例えば、本人認証装置１００よりも高いハードウェア機能を有している。この場合、利用者の顔画像と本人の顔画像とをより詳細に解析して、両画像が同一人物の画像であるか否かを、高い精度で判定することができる。そのため、本例においても、利用者の顔画像と要注意人物の顔画像が類似する場合に、認証部１６０は、利用者が本人であるか否かを、より厳しい基準で判断できる。
【００４３】
なお、本人判定装置２００は、利用者の顔画像と本人の顔画像とをディスプレイに表示してもよい。この場合、本人判定装置２００は、判定結果を、ユーザから受け取り、認証部１６０へ送信する。この場合も、両画像が同一人物の画像であるか否かを、高い精度で判定することができる。
【００４４】
図８は、本人認証装置１００の構成の更なる変形例を示す。なお、以下に説明する点を除き、図８において、図２と同じ符号を付した構成は、図２における構成と同一又は同様の機能を有するため説明を省略する。本変形例において、本人認証装置１００は、複数の撮像部１１０ａ、ｂを備える。
【００４５】
本人認証装置１００は、最初に、撮像部１１０ａに、利用者の顔を撮像させる。撮像部１１０ａは、要注意人物の顔画像と比較するために、利用者の顔画像を撮像して、特定人物比較部１３０に供給する。特定人物比較部１３０は、撮像部１１０ａにより撮像された利用者の顔画像と、要注意人物の顔画像とを比較する。そして、利用者の顔画像が要注意人物の顔画像に類似すると特定人物比較部１３０が判断した場合、認証部１６０は、撮像部１１０ｂに、利用者の顔を再度撮像させる。
【００４６】
この場合、撮像部１１０ｂは、撮像部１１０ａが撮像する顔画像よりも情報量の多い顔画像を生成するのが好ましい。例えば、撮像部１１０ｂは、解像度又は階調を高めて、利用者の顔を再度撮像する。
【００４７】
そして、利用者の顔画像が要注意人物の顔画像に類似しないと特定人物比較部１３０が判断した場合、認証部１６０は、撮像部１１０ａにより撮像された利用者の顔画像と、本人の顔画像とが同一の人物の画像であるか否かを判断する。また、利用者の顔画像が要注意人物の顔画像に類似すると特定人物比較部１３０が判断した場合、認証部１６０は、撮像部１１０ｂにより撮像された利用者の顔画像と、本人の顔画像とが同一の人物の画像であるか否かを判断する。この場合、認証部１６０は、通常より高い解像度又は階調を高めた利用者の顔画像が本人の顔画像と同一人物の画像であるか否かを判断する。これにより、利用者の認証を、より厳しい基準で行うことができる。
【００４８】
ここで、常に情報量の多い顔画像を用いて認証を行うとすれば、認証に要する時間が増大し、効率よく認証が行えない場合がある。しかし、本変形例において、認証部１６０は、通常は、低い情報量の顔画像を利用して認証を行う。そして、利用者の顔画像が要注意人物の顔画像に類似する場合に、認証の判断方法を変更して、情報量の多い顔画像を利用する。そのため、本変形例によれば、高精度かつ効率のよい認証を行うことができる。
【００４９】
なお、撮像部１１０ｂは、利用者の顔画像を、動画により撮像してもよい。この場合、本人画像取得部１５０は、本人の顔画像の動画を、記憶装置１４０から取得する。認証部１６０は、より厳しい基準で判断する為に、例えば、利用者の顔画像の動画における複数のフレームと、本人の顔画像の動画における複数のフレームとを比較して、利用者の顔画像と本人の顔画像とが同一人物の画像であるか否かを判断する。また、例えば撮像部１１０ａも、利用者の顔画像を動画により撮像する場合、撮像部１１０ｂは、撮像部１１０ａにより撮像される動画よりもフレームレートが高い動画を生成するのが好ましい。
【００５０】
また、撮像部１１０ｂは、利用者に、例えば赤外光等の不可視領域光を照射して、利用者の顔を撮像してもよい。認証部１６０は、より厳しい基準で判断する為に、不可視領域光を照射して撮像された利用者の顔画像を用いて、利用者の顔画像と本人の顔画像とが同一人物の画像であるか否かを判断する。この場合、例えば赤外線強度の検知によって得られる温度分布等の、不可視領域光の照射によって新たに得られる特徴を用いることにより、より厳しい基準の判断を行うことができる。また、これにより、例えば利用者の変装を見抜くことができる。
【００５１】
また、認証部１６０は、より厳しい基準で判断する為に、本人の外観の新たな特徴を更に取得してもよい。この場合、撮像部１１０ｂは、例えば、利用者の全身の画像を新たに撮像する。この場合、認証部１６０は、利用者の全身の画像から、例えば利用者が携行している荷物や、利用者の体格等の新たな特徴を取得する。認証部１６０は、新たな特徴として、新たに撮像された動画から、例えば利用者の動作の特徴や、利用者が行っているジェスチャを検出してもよい。そして、認証部１６０は、新たに取得した特徴を用いて、利用者の顔画像と本人の顔画像とが同一人物の画像であるか否かを判断する。例えば、認証部１６０は、利用者と荷物との対応に基づき、利用者を認証する。
【００５２】
なお、認証部１６０は、例えば他の本人認証装置１００から受け取る過去の認証履歴を利用して、利用者が携行しているはずの荷物と、実際に携行している荷物とを比較してよい。この場合も、利用者の顔画像と本人の顔画像とが同一人物の画像であるか否かを、より厳しい基準で判断することができる。
【００５３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５４】
【図１】本発明の実施形態である本人認証装置１００の使用例を示す図である。
【図２】本人認証装置１００の構成を示すブロック図である。
【図３】特定人物情報保持部１２０のデータ構成を示すテーブルである。
【図４】記憶装置１４０のデータ構成を示すテーブルである。
【図５】本人認証装置１００の動作を示すフローチャートである。
【図６】本人認証装置１００の動作の変形例を示すフローチャートである。
【図７】本人認証装置１００の構成の変形例を示す図である。
【図８】本人認証装置１００の構成の更なる変形例を示す図である。
【符号の説明】
【００５５】
１００  本人認証装置
１１０  撮像部
１２０  特定人物情報保持部
１３０  特定人物比較部
１４０  記憶装置
１５０  本人画像取得部
１６０  認証部
２００  本人判定装置
【図１】
2004259253.tif 000003
【図２】
2004259253.tif 000004
【図３】
2004259253.tif 000005
【図４】
2004259253.tif 000006
【図５】
2004259253.tif 000007
【図６】
2004259253.tif 000008
【図７】
2004259253.tif 000009
【図８】
2004259253.tif 000010